(57)【要約】【課題】スキミング防止機能を有する各種紙製品の一つとして、ＩＣチップが搭載された各種ＩＣカードの紙製包装体又は被覆体等として使用できる簡便な紙製シートを提供すること。【解決手段】極薄の電磁波遮蔽シートの表裏両側の面に紙シートをそれぞれ接合し、電磁波遮蔽シートを中間層にしてサンドイッチ構造の３層構造としたスキミング防止用紙製シートである。電磁波遮蔽シートが、アルミニウム、銅、鉄等の各種金属箔製の極薄シート体から成る。或いは、電磁波遮蔽シートが、極薄の合成樹脂製フィルムの一方の面に格子状又は網目状に金属粉を塗布又はプリントしたものから成る。シート全体の厚みを０．３ｍｍ以下とした。紙シートとしては、アート紙、コート紙又はケント紙を使用し、シート全体に可撓性を保有させた。【選択図】なし【特許請求の範囲】
【請求項１】
極薄の電磁波遮蔽シートの一方の面に紙シートを接合して２層構造としたことを特徴とするスキミング防止用紙製シート。
【請求項２】
極薄の電磁波遮蔽シートの表裏両側の面に紙シートをそれぞれ接合し、電磁波遮蔽シートを中間層にしてサンドイッチ構造の３層構造としたことを特徴とするスキミング防止用紙製シート。
【請求項３】
電磁波遮蔽シートが、アルミニウム、銅、鉄等の各種金属箔製の極薄シート体から成ることを特徴とする請求項１又は２に記載のスキミング防止用紙製シート。
【請求項４】
電磁波遮蔽シートが、極薄の合成樹脂製フィルムの一方の面に格子状又は網目状に金属粉を塗布又はプリントしたものから成ることを特徴とする請求項１又は２に記載のスキミング防止用紙製シート。
【請求項５】
シート全体の厚みを０．３ｍｍ以下としたことを特徴とする請求項１乃至４の何れか１項に記載のスキミング防止用紙製シート。
【請求項６】
紙シートとしてアート紙、コート紙又はケント紙を使用し、シート全体を可撓性を有する板状体のものとしたことを特徴とする請求項１乃至５の何れか１項に記載のスキミング防止用紙製シート。
【発明の詳細な説明】
【技術分野】
【０００１】
本発明は、各種キャッシュカードやクレジットカード等のＩＣチップ搭載の非接触型ＩＣカードに記録された情報の不正読み取りを防止するためのスキミング防止用紙製シートに関するものである。
【背景技術】
【０００２】
現在、従来の磁気記録式カードに代わり、大量の情報が記録できるＩＣチップが搭載されたキャッシュカードやクレジットカード等のＩＣカードが大いに普及している。
このＩＣカードとしては、非接触タイプのものが多く、読取装置に近づけるだけで使用者の個人情報を電磁波を利用して読み取ることができる非常に便利なものである。
【０００３】
これに伴い、これらＩＣカードに記録された情報を不正に読み取るスキミング被害が増加の傾向を辿り、このスキミング被害を防止するために、ＩＣチップ内の記録情報を読み取ることを不能とする各種の電磁波シールド部材が提供されている。
【０００４】
下記特許文献に記載のものは、本願出願人が先に提案したものである。
特許文献１に記載の電磁波シールドシートは、銅材により形成して磁界を吸収する電磁波吸収層としての銅層と、アルミ材により形成して磁界を遮断する電磁波遮断層としてのアルミ層とを備え、前記アルミ層を銅層より人体側に配置して、磁界を遮断して人体を磁界から保護するものである。
【０００５】
下記特許文献２に記載の電磁波遮断シートは、電磁波を遮断するアルミニウムによりシート状の全電磁波遮断シートを形成し、全ての電磁波を遮断する全電磁波遮断型の全電磁波遮断シートを製造する場合は、前記全電磁波遮断シートをそのまま完成品の全電磁波遮断シートとし、８００ＭＨｚ帯の周波数の電磁波を通過許容して１３．５６ＭＨｚ帯の周波数の電磁波を遮断する遮断電磁波選択型の一部電磁波遮断シートを製造する場合は、前記全電磁波遮断シートに複数の孔を穿設して一部電磁波遮断シートとしたものである。
【先行技術文献】
【特許文献】
【０００６】
【特許文献１】特開２００８−９３０９３号公報
【特許文献２】特開２００７−２８７７５２号公報
【発明の概要】
【発明が解決しようとする課題】
【０００７】
本発明においては、現在存在する各種の紙製品の一つとして、つまりＩＣチップが搭載された各種ＩＣカードの紙製包装体又は被覆体等として使用でき、同時にスキミング防止機能をも有する簡便な紙製シートを提供することをその第一の課題としている。
その他、スキミング防止効果を有しつつ、この紙製シートを利用して紙製品として多方面に、多用途のものとして容易に応用できるものを提供することもその課題である。
【課題を解決するための手段】
【０００８】
本発明の第１のものは、極薄の電磁波遮蔽シートの一方の面に紙シートを接合して２層構造としたことを特徴とするスキミング防止用紙製シートである。
【０００９】
本発明の第２のものは、極薄の電磁波遮蔽シートの表裏両側の面に紙シートをそれぞれ接合し、電磁波遮蔽シートを中間層にしてサンドイッチ構造の３層構造としたことを特徴とするスキミング防止用紙製シートである。
【００１０】
本発明の第３のものは、上記第１又は第２の発明において、電磁波遮蔽シートが、アルミニウム、銅、鉄等の各種金属箔製の極薄シート体から成ることを特徴とするスキミング防止用紙製シートである。
【００１１】
本発明の第４のものは、電磁波遮蔽シートが、極薄の合成樹脂製フィルムの一方の面に格子状又は網目状に金属粉を塗布又はプリントしたものから成ることを特徴とするスキミング防止用紙製シートである。
【００１２】
本発明の第５のものは、上記第１乃至第４のそれぞれの発明において、シート全体の厚みを０．３ｍｍ以下としたことを特徴とするスキミング防止用紙製シートである。
【００１３】
本発明の第６のものは、上記それぞれの発明において紙シートとしてアート紙、コート紙又はケント紙を使用し、シート全体を可撓性を有する板状体のものとしたことを特徴とするスキミング防止用紙製シートである。
【発明の効果】
【００１４】
本発明の第１のものにおいては、紙シートの一方の面に電磁波遮蔽シートが接合されているために、このシートをＩＣカードに重ね合わせて使用すること等により、他人からＩＣチップ内の記録データを不正に読み取られることから防御される。
また、紙製のシートであるために、取扱いが極めて便利であり、使用に際しては、保護媒体の形状に合致させて鋏等で簡単に裁断して適宜使用することができる。
【００１５】
本発明の第２のものにおいては、電磁波遮蔽シートの表裏両面に紙シートが接合されているために、電磁波遮蔽シートが表に現れず、従って、この電磁波遮蔽シート自体に傷や剥離等が生じ難くなり、スキミング防止機能の効果が持続することとなる。
また、両面に紙シートが接合されているために、その使用感は、まさに紙製のシートそのものであり、普通の紙のシート体を使用する感覚で多方面に利用でき、しかもこれがスキミング防止用シートとして使用できるものとなる。
【００１６】
本発明の第３のものにおいては、電磁波遮蔽シートの素材を限定したものであり、各種金属の金属箔を利用して、より簡易に製造でき且つ利便性の高いものとすることができる。
【００１７】
本発明の第４のものにおいても、電磁波遮蔽シートを限定したものであって、合成樹脂製フィルムの一面に各種金属粉を塗布又はプリントしたものであり、このような電磁波遮蔽シートにより同様にスキミングの防止を図ることができる。
【００１８】
本発明の第５のものにおいては、そのシート全体の厚みを０．３ｍｍ以下の一定の薄さのものに限定したことにより、使用に際してより軽便で、財布や定期入れ或いはカード入れ等に挿入して使用するに際して、嵩張ることがなく、極めて利用価値の高い便利なものとなる。
【００１９】
本発明の第６のものにおいては、紙シートの素材とその特性を限定したものであり、つまりシート全体に可撓性を保有させた板状体のものを使用することにより、その特性を生かした紙製品としてより利用価値が高まり、且つより取り扱い易いものとなるのである。
【発明を実施するための形態】
【００２０】
以下、本発明の実施形態について詳しく説明を加える。
本発明に係るスキミング防止用紙製シートは、３層構造を有する。
即ち、中間層となる電磁波遮蔽シートと、その表側及び裏側の両面のそれぞれに紙シートを重ね合わせて、接着剤により圧着接合させて形成したものであり、前記電磁波遮蔽シートを中間に挟んだサンドイッチ状に積層した３層構造から成るものである。
この紙製シートのサイズとしては自由に設定することができ、使用頻度の高いＡ３、Ａ４、Ａ５サイズ或いはＢ４、Ｂ５サイズ等規定のサイズの大きさに予め裁断して製品化することができる。
【００２１】
電磁波遮蔽シートとしては、各種のものを使用することができる。
例えば、アルミニウム、銅、鉛、ステンレス、鉄等の金属箔、或いは真鍮等の合金等を極薄のシート状（金属箔）にしたものを使用することができる。
その厚みも１００μｍ程度以下の極薄のものを使用する。
【００２２】
更に、電磁波遮蔽シートとしては、やはり約１００μｍ程度の極薄の合成樹脂製フィルムにアルミニウムを蒸着したものを使用することもできる。
また、同様に極薄の合成樹脂製フィルム、例えばポリエチレン・フィルムに金属粉を格子状に或いは網目状に塗布したり、プリントしたりして形成することもできる。
勿論、この金属粉と共に炭素や珪素を含有させることもできる。
【００２３】
上記のように金属粉を格子状等に塗布する場合には、当然塗布前に格子状等に接着剤を予め塗布し、その後金属粉等を塗布するのである。
また、プリントする際は、その印刷用インク内に金属粉や炭素等の所望の原材料を混入させた上で格子状又は網目状にプリントを行うのである。
【００２４】
更に、この電磁波遮蔽シートの表と裏の両面には、薄い紙シートを積層し、接着剤により圧着接合する。
紙シートとしては、腰の強い可撓性を有する材質のものを使用する。
この実施形態では、アート紙、コート紙、或いはケント紙等を使用している。
この紙シートの厚みは、０．１ｍｍから０．１５ｍｍ程度のものを使用する。
勿論この紙シートは、その種類として自由に選択して使用することができるが、可撓性を有するものを使用することが極めて好ましい。
【００２５】
これにより、本発明に係るスキミング防止用紙製シート全体の厚みを約０．３ｍｍ以下とすることができる。
このようにすることにより、紙製シート自体に可撓性を付与しつつ板状体のものとして製品化し、嵩張らず、例えば適宜大きさに裁断した後、財布、札入れ、定期入れ、カード入れ等に挿入して使用する際に便利なものとなる。
【００２６】
以上のように、本発明に係るスキミング防止用紙製シートは、例えば名刺として、或いは封筒として、更には、封筒に封入するクレジットカード等の台紙として、各種の紙製品として利用されることとなる。
更には、重ね合わせるための各種ＩＣカードの形態に合致させて裁断して、そのＩＣカードに重ね合わせ、或いはこの紙製シートを２つ折りとし、その間にカードを挟んで使用することもできる。
勿論、本発明に係る紙製シートは、表裏の媒体が紙であるため、その表面側又は裏面側或いはその両面に、絵や写真等の各種のプリントを施したり、各種の情報を印刷して広告媒体として利用することもできる。
【００２７】
尚、紙シートは、上記実施形態では、電磁波遮蔽シートの表裏両面に接合しているが、その一方の面にのみその紙シートを接合した２層構造のものとして実施してもよい。
しかし、電磁波遮蔽シートが損傷したり、剥離したりしないように、その効果を持続させるために、上記実施形態のようなサンドイッチ状の３層構造とすることが極めて望ましい。
【００２８】
以上、本発明は、電磁波遮蔽シートと紙シートとの積層構造を採用し、薄い板状体の可撓性を有する紙製シートとして、しかもスキミング防止機能を有するものとして、利用価値の高いまた応用範囲の極めて広い紙製シートを提供することができたものである。